【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
液体を内部に収容し、前記液体を噴射する液体噴射装置に装着されるための液体収容容器であって、
液体収容容器本体と、
前記液体収容容器本体の一方の側に貼着された封止フィルムと、
前記液体収容容器本体の他方の側に貼着された、前記液体の種類を示す画像が印刷された表示ラベルと、を備え、
前記液体収容容器の底面に、前記液体噴射装置に前記液体を供給するための液体供給口が設けられ、
前記液体収容容器本体の前記一方の側に、前記液体供給口に連通する第１凹部が形成され、
前記第１凹部と前記封止フィルムとの間に、前記液体を収容するための液体収容部が形成され、
前記液体収容容器本体の前記他方の側に、溝形状に形成された凹部である第２凹部が形成され、
前記第２凹部の開口部と前記表示ラベルとの間に、前記液体収容容器の外部から取り込まれた空気を前記液体収容部に導くための空気通路が形成され、
前記表示ラベルは、前記液体収容容器本体に貼着される基材層と、ＰＥＴ材料によって形成された白ＰＥＴ層と、前記画像が印刷された印刷層と、蒸着成分を含むＰＥＴ材料によって形成された蒸着ＰＥＴ層とが、少なくともこの順序で積層されて構成されていることを特徴とする液体収容容器。
【請求項２】
請求項１に記載の液体収容容器において、
前記第１凹部は、複数のリブによって複数の領域に区分けされた凹部であることを特徴とする液体収容容器。
【請求項３】
液体を内部に収容し、前記液体を噴射する液体噴射装置に装着されるための液体収容容器であって、
前記液体噴射装置に前記液体を供給するための液体供給口と、前記液体を収容するための液体収容部とが形成された液体収容容器本体と、
前記液体収容容器本体に貼着された、前記液体の種類を示す画像が印刷された表示ラベルと、を備え、
前記液体収容容器本体に、溝形状に形成された凹部が形成され、
前記凹部の開口部と前記表示ラベルとの間に、前記液体収容容器の外部から取り込まれた空気を前記液体収容部に導くための空気通路が形成され、
前記表示ラベルは、前記画像が印刷された印刷層と、前記印刷層よりも外層に用いられる蒸着薄膜層と、を含むことを特徴とする液体収容容器。
【請求項４】
請求項３に記載の液体収容容器において、
前記表示ラベルは、前記液体収容容器本体に貼着される基材層と、ＰＥＴ層と、前記印刷層と、前記蒸着薄膜層を含む蒸着ＰＥＴ層とが、少なくともこの順序で積層されて構成されている、ことを特徴とする液体収容容器。
【請求項５】
請求項３または４に記載の液体収容容器において、
前記空気通路は、前記液体収容部に連通する第１空気通路と、大気解放孔に連通する第２空気通路と、前記第１空気通路と前記第２空気通路との間に位置する空気溜りと、を含む、ことを特徴とする液体収容容器。
【請求項６】
請求項３または４に記載の液体収容容器において、
前記空気通路は、前記液体収容部に第１連通孔を介して連通する第１空気通路と、大気解放孔に第２連通孔を介して連通する第２空気通路と、前記第１空気通路と前記第２空気通路との間に位置する空気溜りと、を含む、ことを特徴とする液体収容容器。
【請求項７】
請求項３ないし６のいずれか一項に記載の液体収容容器において、
前記蒸着薄膜層は、アルミナ蒸着層である、ことを特徴とする液体収容容器。
【請求項８】
請求項３ないし７のいずれか一項に記載の液体収容容器において、
前記蒸着薄膜層は、透明性を有する、ことを特徴とする液体収容容器。
【請求項９】
請求項１ないし８のいずれか一項に記載の液体収容容器において、
前記表示ラベルは、前記液体収容容器本体のうち前記表示ラベルが貼着された第１面から、前記第１面に隣接する第２面にかけて折り込まれて、前記第２面にも貼着されていることを特徴とする液体収容容器。
【手続補正２】
【補正対象書類名】明細書
【補正対象項目名】発明の名称
【補正方法】変更
【補正の内容】
【発明の名称】液体収容容器
【手続補正３】
【補正対象書類名】明細書
【補正対象項目名】０００９
【補正方法】変更
【補正の内容】
【０００９】
上述した課題の少なくとも一部を解決するために、本発明の液体収容容器は次の構成を採用した。すなわち、
液体を内部に収容し、前記液体を噴射する液体噴射装置に装着されるための液体収容容器であって、
液体収容容器本体と、
前記液体収容容器本体の一方の側に貼着された封止フィルムと、
前記液体収容容器本体の他方の側に貼着された、前記液体の種類を示す画像が印刷された表示ラベルと、を備え、
前記液体収容容器の底面に、前記液体噴射装置に前記液体を供給するための液体供給口が設けられ、
前記液体収容容器本体の前記一方の側に、前記液体供給口に連通する第１凹部が形成され、
前記第１凹部と前記封止フィルムとの間に、前記液体を収容するための液体収容部が形成され、
前記液体収容容器本体の前記他方の側に、溝形状に形成された凹部である第２凹部が形成され、
前記第２凹部の開口部と前記表示ラベルとの間に、前記液体収容容器の外部から取り込まれた空気を前記液体収容部に導くための空気通路が形成され、
前記表示ラベルは、前記液体収容容器本体に貼着される基材層と、ＰＥＴ材料によって形成された白ＰＥＴ層と、前記画像が印刷された印刷層と、蒸着成分を含むＰＥＴ材料によって形成された蒸着ＰＥＴ層とが、少なくともこの順序で積層されて構成されていることを特徴とする。
【手続補正４】
【補正対象書類名】明細書
【補正対象項目名】００１０
【補正方法】変更
【補正の内容】
【００１０】
このような本発明の液体収容容器は、液体収容容器を構成する液体収容容器本体の一方の側面に形成された第１凹部と封止フィルムとの間に液体収容部が形成されており、この液体収容部に液体が収容される。また、他方の側面に形成された第２凹部と表示ラベルとの間に空気通路が形成されている。尚、以下では表示ラベルが貼着された側の側面を「表」側と呼び、封止フィルムが貼着された側の側面を「裏」側と呼んで区別するものとする。そして、表側に貼着された表示ラベルは、液体収容容器本体に貼着される基材層と、白色のＰＥＴ材料によって形成された白ＰＥＴ層と、画像が印刷された印刷層と、蒸着成分を含むＰＥＴ材料によって形成された蒸着ＰＥＴ層とが、少なくともこの順序で積層されて構成されている。
【手続補正５】
【補正対象書類名】明細書
【補正対象項目名】００１４
【補正方法】変更
【補正の内容】
【００１４】
また、上述の課題の少なくとも一部を解決するために、本発明の液体収容容器は下記の構成を採用することができる。すなわち、液体を内部に収容し、前記液体を噴射する液体噴射装置に装着されるための液体収容容器であって、前記液体噴射装置に前記液体を供給するための液体供給口と、前記液体を収容するための液体収容部とが形成された液体収容容器本体と、前記液体収容容器本体に貼着された、前記液体の種類を示す画像が印刷された表示ラベルと、を備え、前記液体収容容器本体に、溝形状に形成された凹部が形成され、前記凹部の開口部と前記表示ラベルとの間に、前記液体収容容器の外部から取り込まれた空気を前記液体収容部に導くための空気通路が形成され、前記表示ラベルは、前記画像が印刷された印刷層と、前記印刷層よりも外層に用いられる蒸着薄膜層と、を含むことを特徴とする。この構成によれば、液体収容容器に収容される液体の品質保持期間を大幅に延長することができる。
また、上記液体収容容器は下記の構成を採用することもできる。すなわち、上記液体収容容器において、前記表示ラベルは、前記液体収容容器本体に貼着される基材層と、ＰＥＴ層と、前記印刷層と、前記蒸着薄膜層を含む蒸着ＰＥＴ層とが、少なくともこの順序で積層されて構成されている、ことが好ましい。この構成によれば、当該表示ラベルの構成においても、液体収容容器に収容される液体の品質保持期間を大幅に延長することができる。
また、上記液体収容容器は下記の構成を採用することもできる。すなわち、上記液体収容容器において、前記空気通路は、前記液体収容部に連通する第１空気通路と、大気解放孔に連通する第２空気通路と、前記第１空気通路と前記第２空気通路との間に位置する空気溜りと、を含む、ことが好ましい。この構成によれば、液体収容部からのインク成分の拡散を微量に抑えることができ、液体収容容器に収容される液体の品質保持期間を大幅に延長することができる。
また、上記液体収容容器は下記の構成を採用することもできる。すなわち、上記液体収容容器において、前記空気通路は、前記液体収容部に第１連通孔を介して連通する第１空気通路と、大気解放孔に第２連通孔を介して連通する第２空気通路と、前記第１空気通路と前記第２空気通路との間に位置する空気溜りと、を含む、ことが好ましい。この構成によれば、液体収容部からのインク成分の拡散を微量に抑えることができ、液体収容容器に収容される液体の品質保持期間を大幅に延長することができる。
また、上記液体収容容器は下記の構成を採用することもできる。すなわち、上記液体収容容器において、前記蒸着薄膜層は、アルミナ蒸着層である、ことが好ましい。この構成によれば、蒸着薄膜層のバリア性を高めることができ、液体収容容器に収容される液体の品質保持期間を大幅に延長することができる。
また、上記液体収容容器は下記の構成を採用することもできる。すなわち、上記液体収容容器において、前記蒸着薄膜層は、透明性を有する、ことが好ましい。この構成によれば、蒸着薄膜層のバリア性を高め、液体収容容器に収容される液体の品質保持期間を大幅に延長することができるほか、印刷層に印刷された表示の視認性を阻害することがない。
【手続補正６】
【補正対象書類名】明細書
【補正対象項目名】００１５
【補正方法】変更
【補正の内容】
【００１５】
また、前記表示ラベルは、前記液体収容容器本体のうち前記表示ラベルが貼着された第１面から、前記第１面に隣接する第２面にかけて折り込まれて、前記第２面にも貼着されていることを特徴とする。これによれば、１つの面に表示ラベルを貼着する手間とほとんど同じ手間で、もう１つの面にも表示ラベルを貼着することができる。加えて、２つの面に別々に表示ラベルを貼着する場合に比べて、表示ラベルの数も減らすことが可能となる。